(57)【要約】【課題】  エコーキャンセラの試験を容易に行えるＶｏＩＰインタフェース装置を提供する。【解決手段】  ＶｏＩＰインタフェース装置は、試験モード信号が入力されたときに、エコーキャンセラ４０を通過し、チャネル多重化された下りデータを１チャネル分だけチャネルシフトするチャネルシフト回路５２と、試験モード信号が入力されたときに、チャネルシフト回路５２によりチャネルシフトされた下りデータを上りデータとして折り返させる第１の経路切換回路５３と、試験モード信号が入力されたときに、第１の経路切換回路５３で折り返し、エコーキャンセラ４０を通過し、多重化された上りデータを下りデータとして折り返させる第２の経路切換回路３３とを備える。【選択図】        図１ 
2005354146.tif 000002
【特許請求の範囲】
【請求項１】
加入者端末側から入力される複数のチャネルのチャネルデータを多重化した上りデータ及び加入者ネットワーク側から入力される複数のチャネルのチャネルデータを多重化した下りデータをそれぞれ各チャネルのチャネルデータに分離し、対応のチャネルのエコーキャンセラを通過させてから再度多重化して、加入者ネットワーク側及び加入者端末側にそれぞれ出力するＶｏＩＰインタフェース装置において、
試験モード信号が入力されたときに、前記エコーキャンセラを通過し、多重化された下りデータを所定のチャネルシフト数だけチャネルシフトするチャネルシフト回路と、
前記試験モード信号が入力されたときに、前記チャネルシフト回路によりチャネルシフトされた下りデータを上りデータとして折り返させる第１の経路切換回路と、
前記試験モード信号が入力されたときに、前記第１の経路切換回路で折り返され、前記エコーキャンセラを通過し、多重化された上りデータを下りデータとして折り返させる第２の経路切換回路と
を備えたことを特徴とするＶｏＩＰインタフェース装置。
【請求項２】
前記各チャネルのエコーキャンセラのうちの、外部から指定されたエコーキャンセラのエコーキャンセル動作を停止させる制御手段を有することを特徴とする請求項１に記載のＶｏＩＰインタフェース装置。
【請求項３】
前記チャネルシフト回路は、前記エコーキャンセラを通過し、多重化された下りデータをビットシフトすることにより、該下りデータをチャネルシフトすることを特徴とする請求項１または２に記載のＶｏＩＰインタフェース装置。
【請求項４】
前記チャネルシフト回路は、前記エコーキャンセラを通過し、多重化された下りデータを、各チャネルデータを構成するビット数に等しい数だけビットシフトすることにより１チャネル分シフトすることを特徴とする請求項３に記載のＶｏＩＰインタフェース装置。
【請求項５】
請求項１から４のいずれか一項に記載のＶｏＩＰインタフェース装置のエコーキャンセラを試験する方法において、
前記試験モード信号を前記チャネルシフト回路及び前記第１及び第２の経路切換回路に供給する第１のステップと、
チャネル番号が、試験対象のエコーキャンセラに対応する第１のチャネルと前記所定のチャネルシフト数だけ異なる第２のチャネルのチャネルデータとして所定の試験データを含む多重化データを前記加入者ネットワーク側から前記ＶｏＩＰインタフェース装置に入力する第２のステップと、
前記ＶｏＩＰインタフェース装置の前記第１の切換回路で２回折り返され、前記加入者ネットワーク側に戻る前記多重化データ中の、チャネル番号が前記第２のチャネルと前記所定のチャネルシフト数だけ異なる第３のチャネルのチャネルデータと、前記試験データとを照合する第３のステップとを含み、
前記第１から第３のステップにおいて、前記第２及び第３のチャネルに対応するエコーキャンセラのエコーキャンセル動作を停止させることを特徴とするＶｏＩＰインタフェース装置のエコーキャンセラの試験方法。
【発明の詳細な説明】
【技術分野】
【０００１】
本発明は、インターネットやイントラネットのようなIPネットワーク上でＶｏＩＰ（Voice over Internet Protocol）を用いて音声通話を実現する技術、具体的には加入者端末とＩＰネットワークとを接続するＰＢＸ（構内電話交換機）の機能を有するＶｏＩＰインタフェース装置及びこのＶｏＩＰインタフェース装置に含まれるエコーキャンセラを試験する方法に関する。
【背景技術】
【０００２】
加入者端末をＶｏＩＰインタフェース装置（ＰＢＸ）を介してネットワークに接続し、ネットワークを経由した音声通話を実現する技術は例えば特許文献１に記載されている。
ＶｏＩＰインタフェース装置がエコーキャンセラを含む場合には、エコーキャンセラが正常に動作するか否かを確認するため、試験する必要がある。図５を参照して、従来のエコーキャンセラの試験方法を説明する。
【０００３】
同図に示すように、ＶｏＩＰインタフェース装置１００は、ＩＰ内線回路１１１と時分割スイッチ回路（以下、ＴＳＷという）１２０を含む。ＩＰ内線回路１１０はレイヤ１（物理層）及びレイヤ２（データリンク層）の処理を行うＬＡＮインタフェース回路１１１、レイヤ３（ネットワーク層）の処理を行い、音声データからＩＰパケットへの変換及びその逆の変換を行うＩＰインタフェース回路群（以下、ＩＰ／ＩＦという）１１２、エコーキャンセル動作を行うエコーキャンセラＬＳＩ１１３、チャネル分離回路及びチャネル多重回路を含むチャネル多重／分離回路１１４、チャネル多重／分離回路１１４とＴＳＷ１２０とのインタフェースのためのバスコントローラ（以下、ＢＵＳＣＮＴという）１１５、それらを制御するＣＰＵ１１６とを含む。ＴＳＷ１２０は加入者ネットワーク５００に接続される。ＬＡＮインタフェース回路１１１は、ＬＡＮ側、即ち、ＨＵＢ／ルータ２００を介して加入者端末に接続されるが、エコーキャンセラＬＳＩ１１３を試験するときには、図５に示すようにＬＡＮインタフェース回路１１１はＨＵＢ／ルータ２００及び試験用治具３００を介して試験装置４００に接続される。
【０００４】
試験用治具３００は、レイヤ１及びレイヤ２の処理を行うＬＡＮインタフェース回路３０１、レイヤ３の処理を行うＩＰ／ＩＦ３０２、アナログ試験信号とデジタルデータとの変換を行うコーデックＬＳＩ３０３、試験装置４００とのインタフェースのためのアナログインタフェース３０４を含む。試験装置４００は試験用のアナログ信号（トーン信号やホワイトノイズ）を発生するアナログ信号発生器４０１及び試験用治具とのインタフェースのためのアナログインタフェース４０２を含む。
試験装置４００からのアナログ信号は試験用治具３００でＩＰパケット化され、折り返し点Ｐ１またはＰ２で折り返され、試験装置４００に戻る。試験装置４００では、送出したアナログ試験信号と戻ってきた信号とを照合し、エコーキャンセラが正常に動作しているか否かを判定する。
【０００５】
【特許文献１】特開２００３−１６９０７９公報
【発明の開示】
【発明が解決しようとする課題】
【０００６】
上に説明した試験方法では、専用の試験用治具が必要であり、試験用治具の設計・製造コスト、試験用治具の管理・運用コストがかかるという問題があった。
本発明はこの問題に鑑みなされたものであり、試験用治具を用いることなくエコーキャンセラの試験を行うことができるＶｏＩＰインタフェース装置を提供することを目的とする。
【課題を解決するための手段】
【０００７】
加入者端末側から入力される複数のチャネルのチャネルデータを多重化した上りデータ及び加入者ネットワーク側から入力される複数のチャネルのチャネルデータを多重化した下りデータをそれぞれ各チャネルのチャネルデータに分離し、対応のチャネルのエコーキャンセラを通過させてから再度多重化して、加入者ネットワーク側及び加入者端末側にそれぞれ出力する本発明のＶｏＩＰインタフェース装置は、
試験モード信号が入力されたときに、前記エコーキャンセラを通過し、多重化された下りデータを所定のチャネルシフト数だけチャネルシフトするチャネルシフト回路と、
前記試験モード信号が入力されたときに、前記チャネルシフト回路によりチャネルシフトされた下りデータを上りデータとして折り返させる第１の経路切換回路と、
前記試験モード信号が入力されたときに、前記第１の経路切換回路で折り返され、前記エコーキャンセラを通過し、多重化された上りデータを下りデータとして折り返させる第２の経路切替手段と
を備えたことを特徴とする。
【発明の効果】
【０００８】
本発明によれば、試験データをネットワーク側からＶｏＩＰインタフェース装置に入力するので、ＬＡＮ側から試験データを入力する従来の方法において使用される、試験装置とＬＡＮとのインタフェースのための試験用時治具が不要となる。また、試験データを載せるチャネルを順次切り替えることにより、複数のエコーキャンセラの動作を１回の試験で行うことができる。
【発明を実施するための最良の形態】
【０００９】
図１に本発明のＶｏＩＰインタフェース装置の構成を示す。同図に示すように、このＶｏＩＰインタフェース装置は、チャネル多重信号を送受信するためのＴＳＷ（時分割スイッチ回路）１０、チャネル分離／多重回路３０、ＴＳＷ１０とチャネル分離／多重回路３０とのインタフェースのためのＢＵＳＣＮＴ（バスコントローラ）２０、エコーキャンセラＬＳＩ４０、試験用インタフェース回路５０、音声データとＩＰパケットの変換処理を行うＩＰ／ＩＦ（ＩＰインタフェース）６０、ＬＡＮ（Local Area Network）側とのインタフェースのためのＬＡＮインタフェース回路７０、装置全体の動作を制御する制御手段としてのＣＰＵ（中央処理装置）８０を含む。
【００１０】
チャネル分離／多重回路３０は、ＴＳＷ側から下りデータとして送られる２Ｍビット／秒の音声データを各チャネルのチャネルデータに分離するチャネル分離回路３１とエコーキャンセラ側から上りデータとして送られる各チャネルの音声データをチャネル多重化（最大３２チャネルのデータを２Ｍビット／秒のフレームフォーマットに規則正しく並べる）するチャネル多重回路３２を有する。
【００１１】
エコーキャンセラＬＳＩ４０は、エコー特性を学習し推測するＡＦＦ（Adaptive Finite impulse response Filter）とＡＦＦが生成したエコーキャンセル用の音声データを加入者端末に送られる音声データに加算する加算器をそれぞれ有する複数のエコーキャンセラ（本実施形態では、０チャネル〜３１チャネルに対応するエコーキャンセラ＃０〜＃３１）を含む。
【００１２】
試験用インタフェース回路５０は、チャネル分離／多重回路３０のチャネル分離回路３１及びチャネル多重回路３２と同様のチャネル分離回路５４及びチャネル多重回路５１、後述のチャネルシフト動作を行うチャネルシフト回路５２、エコーキャンセラ試験モード時に、チャネルシフト回路５２の出力データを折り返してチャネル分離回路５４に入力する第１の経路切換回路５３を有する。
ＴＳＷ１０は、送受信回路１１と、試験モード時、ＢＵＳＣＮＴ２０からのデータを折り返す第２の経路切換回路１２とを有する。
【００１３】
以下に、本発明のＶｏＩＰインタフェース装置の動作を、エコーキャンセラ＃１を試験する場合について説明する。
ＣＰＵ８０から試験の開始を指示する試験モード信号が、チャネルシフト回路５２、エコーキャンセラＬＳＩ４０、経路切換回路１２，５３に出力される。
経路切換回路５３は、通常モード時にはチャネルシフト回路５２からの出力データをＩＰ／ＩＦ回路６０に入力し、ＩＰ／ＩＦ回路６０からの出力データをチャネル分離回路５４に入力する設定となっているが、試験モード信号を受け取ると図１に示すようにチャネルシフト回路５２の出力データを折り返し、チャネル分離回路５４に入力する設定に切り換わる。経路切換回路１２は、通常モード時は加入者ネットワークからのデータをＢＵＳＣＮＴ２０に出力し、ＢＵＳＣＮＴ２０からのデータを加入者ネットワークに出力する設定であるが、試験モード時には経路切換回路５３で初めて折り返され、ＴＳＷ１０に到達したデータを１回だけ折り返す設定に切り換わる。
【００１４】
エコーキャンセラＬＳＩ４０の各エコーキャンセラは通常モード時にはＡＦＦが生成したエコーキャンセルデータを加算器により加入者端末に向かう音声データ、即ち、下りデータに加算する動作を行っているが、エコーキャンセラ＃１を試験することを指示する試験モード信号を受け取ると、ＣＰＵ８０はエコーキャンセラ＃０及びエコーキャンセラ＃２の設定をエコーキャンセルデータの加算を行わない設定（以下、スルー設定という）に切り換える。このように、エコーキャンセラ＃ｎ（０≦ｎ≦３１）を試験するときには、エコーキャンセラ＃ｎ−１（但し、ｎが０のときは３１にする）とエコーキャンセラ＃ｎ＋１（但し、ｎが３１のときは０にする）をスルー設定に切り替える。
【００１５】
次に、図２を参照してチャネルシフト回路５２の動作を説明する。試験モード時は、チャネルシフト回路５２は、該チャネルシフト回路５２に入力されるデータを１チャネル分（８ビット分）シフトする処理を行う。即ち、通常モード時は、入力される０チャネル〜３１チャネルのシリアルデータをそのまま経路切換回路５３に順次出力するが、試験モード信号を受け取ると入力されるデータを８ビット分シフトさせる。これにより、チャネルが一つずれる。
【００１６】
チャネルシフト回路５２の構成の一例を図３に示す。同図に示すように、チャネルシフト回路５２は、チャネル多重化回路５１の出力データを入力クロックに同期してそれぞれラッチ（１ビットシフト）する８個のフリップフロップ＃１〜＃８から構成される８ビットシフト回路５２１と、試験モード信号に従い、チャネル多重化回路５１が出力するデータまたは８ビットシフト回路５２１により８ビット分シフトされた後のチャネル多重化回路５１の出力データのいずれかを選択して経路切換回路５３に出力するセレクタ５２２とを含む。
通常モード時は、セレクタ５２２はチャネル多重化回路５１の出力データをそのまま経路切換回路５３に出力するが、試験モード時、試験モード信号が供給されると、８ビットシフト回路５２１の出力データを選択して経路切換回路５３に出力する。その結果、試験モード時には、チャネル多重化回路５１の出力データは８ビットシフトされ、それによりチャネルが一つずれる。
【００１７】
図４に試験モード時の試験データの流れを模式的に示す。同図に示すように本実施形態では、試験データはＬＡＮ側からではなく、ネットワーク側からＶｏＩＰインタフェース装置に入力される。０チャネルに載せられた試験データは、チャネル分離回路３１で０チャネルの下りライン（０ｃｈＢＨＷ）を進み、エコーキャンセラ＃０に入力する。エコーキャンセラ＃０はスルー設定であるため、試験データはそのままエコーキャンセラ＃０から出力され、試験用インタフェース回路５０に入力する。試験用インタフェース回路５０に入力された試験データは、チャネル多重回路５１でチャネル多重化され、チャネルシフト回路５２を通り経路切換回路５３に至る。経路切換回路５３では下りラインと上りラインとがループになっているので、この試験データはチャネル分離回路５４に入ってチャネル分離され、エコーキャンセラＬＳＩ４０に入る。このとき、チャネルシフト回路５２でチャネル多重化されたデータは１チャネル分ずれているので、０チャネルに載せられた試験データは１チャネルの上りライン（１ｃｈＦＨＷ）を進み、チャネル分離／多重回路３０に至り、チャネル多重回路３２でチャネル多重化され、ＢＵＳＣＮＴ２０を通過し、ＴＳＷ１０に至る。このとき、上りラインと下りランとは経路切換回路１２によりループになっているため、チャネル多重化されたデータは下りデータとして折り返され、チャネル分離／多重回路３０のチャネル分離回路３１に入力する。チャネル分離回路３１でチャネル分離された試験データは、１チャネルの下りライン（１ｃｈＢＨＷ）を通り、エコーキャンセラ＃１に入力する。試験データはエコーキャンセラ＃１でエコーキャンセラデータが重畳された後、試験用インタフェース回路５０に入力する。
【００１８】
上記したように、試験用インタフェース回路５０では入力データを１チャネル分ずらし、また、下りラインと上りラインとをループさせているので、エコーキャンセラデータが重畳された試験データは２チャネルの上りライン（２ｃｈＦＨＷ）を通ってスルー設定されているエコーキャンセラ＃２に入り、さらにチャンル分離／多重回路３０、ＢＵＳＣＮＴ２０、ＴＳＷ１０を通過してネットワーク側に戻る。
このネットワーク側に戻ってきたエコーキャンセラデータが重畳された試験データ、即ち２チャネルのチャネルデータと、ネットワーク側からＶｏＩＰインタフェース装置に入力した試験データとを照合することにより、１チャネルのエコーキャンセラが正しく動作しているか否かを確認することができる。
【００１９】
本実施形態によれば、試験データをネットワーク側からＶｏＩＰインタフェース装置に入力するので、ＬＡＮ側から試験データを入力する従来の方法において使用される、試験装置とＬＡＮとのインタフェースのための試験用時治具が不要となる。
また、試験データを載せるチャネルを順次切り替えることにより、複数のエコーキャンセラの動作の確認を１回の試験で行うことができる。
【図面の簡単な説明】
【００２０】
【図１】本発明のＶｏＩＰインタフェース装置の構成図である。
【図２】図１のＶｏＩＰインタフェース装置のチャネルシフト回路の動作を説明する図である。
【図３】図３図１のＶｏＩＰインタフェース装置のチャネルシフト回路の構成図である。
【図４】本発明のＶｏＩＰインタフェース装置内の試験データの流れを模式的に示す図である。
【図５】従来のエコーキャンセラの試験方法を説明する図である。
【符号の説明】
【００２１】
１  ＶｏＩＰインタフェース装置、  １０  ＴＳＷ（時分割スイッチ回路）、  ２０  ＢＵＳＣＮＴ（バスコントローラ）、  ３０  チャネル分離／多重回路、  ４０  エコーキャンセラＬＳＩ、  ５０  試験用インタフェース回路、  ６０  ＩＰ／ＩＦ（ＩＰインタフェース回路群）、  ７０  ＬＡＮインタフェース回路、  ８０  ＣＰＵ、  １００  ＶｏＩＰインタフェース装置、  ２００  ＨＵＢ／ルータ、  ３００  試験用治具、  ４００  試験装置、  ５００  加入者ネットワーク。
【図１】
2005354146.tif 000003
【図２】
2005354146.tif 000004
【図３】
2005354146.tif 000005
【図４】
2005354146.tif 000006
【図５】
2005354146.tif 000007